【手続補正書】
【提出日】平成23年6月28日(2011.6.28)
【手続補正１】
【補正対象書類名】特許請求の範囲
【補正対象項目名】全文
【補正方法】変更
【補正の内容】
【特許請求の範囲】
【請求項１】
複数のアンテナを有し、空間多重化方式を用いてリレー局を中継して一又は複数の端末と通信する基地局において、
リレー局を経由して通信する端末の情報と、リレー局のサポートする空間多重数の情報とを管理するリレー局接続管理部と、
前記リレー局管理部に管理されている情報に基づいて、通信する多重数を判定する多重数判定部と、
前記多重数判定部により判定された多重数に基づいて、前記端末と多重化してデータの送受信を行うデータ送受信部と、
を備えることを特徴とする基地局。
【請求項２】
前記多重数判定部は、前記リレー局接続管理部が管理しているリレー局がサポートする空間多重数を、通信する多重数の上限として判定することを特徴とする請求項１に記載の基地局。
【請求項３】
端末の処理可能多重数を管理する端末管理部を更に備え、
前記多重数判定部は、前記リレー局接続管理部が管理しているリレー局がサポートする空間多重数と、前記端末管理部が管理する端末の処理可能多重数とのうち、小さい方の値を通信する多重数として判定することを特徴とする請求項１に記載の基地局。
【請求項４】
伝搬路特性に基づいて、可能多重数を判断する伝搬路特性判断部を更に備え、
前記多重数判定部は、前記リレー局接続管理部が管理しているリレー局がサポートする空間多重数と、前記伝搬路特性判断部が判断した可能多重数とのうち、小さい方の値を通信する多重数として判定することを特徴とする請求項１に記載の基地局。
【請求項５】
前記多重数判定部は、前記リレー局接続管理部により、前記データの送受信を行う端末がリレー局を介していないと管理されている場合には、多重数の上限を当該端末の処理可能多重数とすることを特徴とする請求項１に記載の基地局。
【請求項６】
前記多重数判定部は、前記端末が複数のリレー局を介して接続されている場合には、複数のリレー局がサポートする空間多重数のうち、最小の空間多重数を通信する多重数として判定することを特徴とする請求項２に記載の基地局。
【請求項７】
前記データ送受信部は、通信を行う複数の端末のデータをパケット多重化することによりデータの送受信を行う場合に、当該パケットに含まれる端末の中で、最も小さい多重数に基づいて、多重化してデータの送受信を行うことを特徴とする請求項１から６の何れか記載の基地局。
【請求項８】
前記データ送受信部は、通信を行う複数の端末のデータを周波数分割多重と時分割多重とを組み合わせて多重化することによりデータの送受信を行う場合に、時分割多重のタイムスロットにおいて含まれる端末の中で、最も小さい多重数に基づいて、周波数分割にて多重化してデータの送受信を行うことを特徴とする請求項１から６の何れか記載の基地局。
【請求項９】
前記基地局は複数のセルを形成し、
前記セル内にリレー局が配置されているか否かを判定するセル内リレー局判定部を更に備え、
前記多重数判定部は、前記セル内リレー局判定部によりリレー局が配置されている場合には、当該配置されているリレー局のサポートする空間多重数のうち、最も小さいものを通信する多重数と判定し、
前記データ送受信部は、前記セルに含まれる端末とデータの送受信を行う場合には、前記多重数判定部により判定された多重数に基づいて、多重化してデータの送受信を行うことを特徴とする請求項１から６の何れか記載の基地局。
【請求項１０】
前記リレー局管理部は、リレー局を経由して通信をする端末のグループと、リレー局を経由せず通信をする端末のグループに更にグループ分けして管理し、
前記多重数判定部は、前記リレー局を経由して通信をするグループの端末は、リレー局がサポートする空間多重数を通信する多重数の上限とし、前記リレー局を経由せず通信をするグループの端末は、端末の処理可能多重数を通信する多重数の上限とすることを特徴とする請求項１から６の何れか記載の基地局。
【請求項１１】
基地局と、一又は複数の端末と、基地局と端末との間で中継するリレー局とを含み、複数のアンテナにより空間多重化方式を用いて通信する無線通信システムであって、
前記基地局は、
リレー局を経由して通信する端末の情報と、リレー局のサポートする空間多重数の情報とを管理するリレー局接続管理部と、
前記リレー局管理部に管理されている情報に基づいて、通信する多重数を判定する多重数判定部と、
前記多重数判定部により判定された多重数に基づいて、前記端末と多重化してデータの送受信を行うデータ送受信部と、
を備えることを特徴とする無線通信システム。
【請求項１２】
前記多重数判定部は、前記リレー局接続管理部が管理しているリレー局がサポートする空間多重数を、通信する多重数の上限として判定することを特徴とする請求項１１に記載の無線通信システム。
【請求項１３】
前記多重数判定部は、前記端末が複数のリレー局を介して接続されている場合には、複数のリレー局がサポートする空間多重数のうち、最小の空間多重数を通信する多重数として判定することを特徴とする請求項１１に記載の無線通信システム。
【請求項１４】
前記端末は、
前記基地局と、前記リレー局を経由して通信を行っているか否かを判定するリレー局判定部と、
前記リレー局判定部による前記リレー局を経由して通信を行っているか否かの判定結果を、前記基地局に通知する通知手段と、
を有し、
前記リレー局管理部は、前記端末が前記リレー局を経由して通信を行っているか否かを前記通知手段により、端末の情報として管理することを特徴とする請求項１１から１３の何れか一項に記載の無線通信システム。
【請求項１５】
前記リレー局判定部は、前記リレー局のサポートする空間多重数も更に判定し、
前記通知手段は、リレー局を経由して通信を行っているか否かの判定結果と併せて、当該リレー局リレー局がサポートする空間多重数を、前記基地局に通知することを特徴とする請求項１４に記載の無線通信システム。
【請求項１６】
前記通知手段は、前記判定結果をＭＩＭＯを含む適応変調情報として通知することを特徴とする請求項１４又は１５に記載の無線通信システム。
【請求項１７】
前記リレー局判定手段は、前記端末が受信した信号の遅延時間を測定することにより、リレー局経由か否かを判定することを特徴とする請求項１４から１６の何れか記載の無線通信システム。
【請求項１８】
前記基地局に、前記複数のリレー局のうち少なくとも一つが有線で接続されていることを特徴とする請求項１１から１７の何れか記載の無線通信システム。
【請求項１９】
基地局と、一又は複数の端末と、基地局と端末との間で中継するリレー局とを含み、複数のアンテナにより空間多重化方式を用いて通信する無線通信システムに用いる無線通信方法であって、
リレー局を経由して通信する端末の情報と、リレー局のサポートする空間多重数の情報とを管理するリレー局接続管理ステップと、
前記リレー局管理ステップにおいて管理された情報に基づいて、通信する多重数を判定する多重数判定ステップと、
前記多重数判定ステップにより判定された多重数に基づいて、前記端末と多重化してデータの送受信を行うデータ送受信ステップと、
を有することを特徴とする無線通信方法。
【請求項２０】
複数のアンテナを有し、空間多重化方式を用いてリレー局を中継して一又は複数の端末と通信するコンピュータに、
リレー局を経由して通信する端末の情報と、リレー局のサポートする空間多重数の情報とを管理するリレー局接続管理機能と、
前記リレー局管理機能により管理されている情報に基づいて、通信する多重数を判定する多重数判定機能と、
前記多重数判定機能により判定された多重数に基づいて、前記端末と多重化してデータの送受信を行うデータ送受信機能と、
を実現させるためのプログラム。